(57)【要約】      （修正有）【課題】デザイン自由度が高く、耐久性に優れたブックカバーを提供する。【解決手段】本に取り付けられ、当該本を保護する。ブックカバーであって、本の表紙を覆うカバー部及びカバー部の両端に設けられ、それぞれ本の表紙の内側に折り込まれる袖部を有するシート部材により構成され、カバー部と袖部との境界に折り目が設けられている。シート部材１０は、透明な基層１０２と、基層の第１面の第１領域を覆う白色インキ１０４と、基層の第１面の第２領域を覆う透明インキ１０６と、基層の第１面の最外部に設けられた透明な保護層１０８と、基層の第２面の全面を覆うように設けられた、金属光沢を有する光沢層１１０とを有し、第１領域と第２領域とが重複する領域では、白色インキが基層と透明インキとの間に位置する。【選択図】図３
0003213248.tif 000002
【実用新案登録請求の範囲】
【請求項１】
本に取り付けられ、当該本を保護するブックカバーであって、
前記本の表紙を覆うカバー部、及び前記カバー部の両端に設けられ、それぞれ前記本の表紙の内側に折り込まれる袖部を有するシート部材により構成され、
前記カバー部と前記袖部との境界に折り目が設けられており、
前記シート部材は、
透明な基層と、
前記基層の第１面の第１領域を覆う白色インキと、
前記基層の前記第１面の第２領域を覆う透明インキと、
前記基層の前記第１面の最外部に設けられた透明な保護層と、
前記基層の第２面の全面を覆うように設けられた金属光沢を有する光沢層と
を有し、
前記第１領域と前記第２領域とが重複する領域では、前記白色インキが前記基層と前記透明インキとの間に位置する
ことを特徴とするブックカバー。
【請求項２】
前記保護層の表面がつや消し仕上げとされていることを特徴とする請求項１に記載のブックカバー。
【請求項３】
前記カバー部は、
前記本の表表紙を覆う表表紙カバー部と、
前記本の背表紙を覆う背表紙カバー部と、
前記本の裏表紙を覆う裏表紙カバー部とを有し、
前記表表紙カバー部と前記背表紙カバー部との間、および前記裏表紙カバー部と前記背表紙カバー部との間に折り目を有することを特徴とする請求項１又は２に記載のブックカバー。
【請求項４】
前記カバー部は、
前記本の表表紙を覆う表表紙カバー部と、
前記本の裏表紙を覆う裏表紙カバー部とを有し、
前記表表紙カバー部と前記裏表紙カバー部との間に折り目を有することを特徴とする請求項１又は２に記載のブックカバー。
【考案の詳細な説明】
【技術分野】
【０００１】
本考案は、デザインの自由度が高く、耐久性に優れたブックカバーに関する。
【背景技術】
【０００２】
ブックカバーは、本の痛みや汚れを軽減したり、読んでいる本が何かを周囲に気付かせないようにしたりするために使用されている（例えば特許文献１を参照）。最近では、上記の目的以外にも、ブックカバー自体にマンガやアニメのキャラクター等の訴求力のあるデザインを適用したものが、好まれて利用されることもある。
【０００３】
ブックカバーのデザイン性をより高めるために、ブックカバーの任意の部分に金属光沢を持たせることができる手法が求められている。このような金属光沢をもたせる手法として、例えば、箔押し、金属光沢のあるインキの印刷といった手法があるが、耐久性、製造コスト、製造効率といった点に問題があり普及していない。
【先行技術文献】
【特許文献】
【０００４】
【特許文献１】特開２０１６−０８７８８９号公報
【考案の概要】
【考案が解決しようとする課題】
【０００５】
このような問題に鑑みて、本考案は、デザイン自由度が高く、耐久性に優れたブックカバーを提供することを目的とする。
【課題を解決するための手段】
【０００６】
上記課題を解決すべく、本考案のブックカバーは、本に取り付けられ、当該本を保護する。ブックカバーは、本の表紙を覆うカバー部及びカバー部の両端に設けられ、それぞれ本の表紙の内側に折り込まれる袖部を有するシート部材により構成され、カバー部と袖部との境界に折り目が設けられている。シート部材は、透明な基層と、基層の第１面の第１領域を覆う白色インキと、基層の第１面の第２領域を覆う透明インキと、基層の第１面の最外部に設けられた透明な保護層と、基層の第２面の全面を覆うように設けられた、金属光沢を有する光沢層とを有し、第１領域と第２領域とが重複する領域では、白色インキが基層と透明インキとの間に位置することを特徴とする。
【０００７】
本考案では、保護層の表面がつや消し仕上げとされているとよい。このようにすれば、表面の光沢を抑制して高級感のある外観としたり、手触りをよくしたりすることができる。
【０００８】
本考案では、カバー部は、本の表表紙を覆う表表紙カバー部と、本の背表紙を覆う背表紙カバー部と、本の裏表紙を覆う裏表紙カバー部とを有し、表表紙カバー部と背表紙カバー部との間、および裏表紙カバー部と背表紙カバー部との間に折り目を有するとよい。このようにすれば、背表紙のある本に取り付けるのに適したブックカバーとすることができる。あるいは、カバー部は、本の表表紙を覆う表表紙カバー部と、本の裏表紙を覆う裏表紙カバー部とを有し、表表紙カバー部と裏表紙カバー部との間に折り目を有するとよい。このようにすれば、背表紙のない本に取り付けるのに適したブックカバーとすることができる。
【図面の簡単な説明】
【０００９】
【図１】ブックカバー１の外観を、当該ブックカバー１を取り付ける本Ｂとともに示す。
【図２】ブックカバー１に用いるシート部材１０の展開図である。
【図３】シート部材１０の断面図である。
【図４】ブックカバー１の製造工程を示す図である。
【考案を実施するための形態】
【００１０】
〔ブックカバーの概要〕
図１は、本考案の実施形態に係るブックカバー１の外観を、当該ブックカバー１を取り付ける本Ｂとともに示している。図１に示したように、本実施形態のブックカバー１は、背表紙を有する本Ｂに取り付けられる。
【００１１】
ブックカバー１は、扁平なシート部材１０を折り曲げて構成される。図２は、シート部材１０の展開図である。図２に示すように、シート部材１０は、カバー部１２と、袖部１４とを有している。カバー部１２と袖部１４の境界には、折り目２０および折り目２２が設けられている。カバー部１２や袖部１４には、ブックカバー１を本Ｂに取り付けたときに外側に位置する（つまり見える）面に、任意の図形等が描かれる。
【００１２】
カバー部１２は、本Ｂに取り付けたときにその表紙を覆う部分である。カバー部１２は、表表紙カバー部１２０と、裏表紙カバー部１２２と、背表紙カバー部１２４とを有する。表表紙カバー部１２０は、本Ｂに取り付けたときにその表表紙を覆う部分である。裏表紙カバー部１２２は、本Ｂに取り付けたときにその裏表紙を覆う部分である。背表紙カバー部１２４は、本Ｂに取り付けたときにその背表紙を覆う部分である。表表紙カバー部１２０と背表紙カバー１２４との間には折り目２４が設けられる。また、裏表紙カバー部１２２と背表紙カバー１２４との間には折り目２６が設けられる。
【００１３】
図３に示したように、袖部１４は、ブックカバー１を本Ｂに取り付けるときに、表紙の内側に折り込まれる部分である。この袖部１４が折り込まれることによって、ブックカバー１は本Ｂから脱落せずに本Ｂを覆うことができる。袖部１４は、シート部材１０の両端に、すなわち、表表紙カバー部１２０及び裏表紙カバー部１２２のそれぞれに隣接して設けられる。
【００１４】
〔シート部材の層構成〕
図３は、ブックカバー１に用いるシート部材１０の断面図を示している。すなわち、シート部材１０は、基層１０２を中心として構成される。以下では、基層１０２における、ブックカバー１を本Ｂに取り付けたときに外側になる方の面を第１面、内側（つまり本Ｂに対向する側）の面を第２面と呼ぶ。シート部材１０は、この基層１０２の第１面に白色インキ１０４、透明インキ１０６、及び保護層１０８が積層され、基層１０２の第２面に光沢層１１０が設けられた構造を有する。上述の白色インキ１０４と透明インキ１０６とによって、ブックカバー１のカバー部１２や袖部１４にデザインが描かれる。
【００１５】
基層１０２には、透明なシート状の素材が用いられる。基層１０２の素材として、例えば、ＰＥＴ（ポリエチレンテレフタレート）、ＰＢＴ（ポリブチレンテレフタレート）、ＰＥＮ（ポリエチレンナフタレート）、ＰＰ（ポリプロピレン）などの熱可塑性樹脂フィルムが用いることができる。本実施形態では、基層１０２として厚さ２００μｍのポリプロピレンフィルムを用いる。
【００１６】
白色インキ１０４は、基層の白色で光の透過率が比較的低い不透明インキである。白色インキ１０４は、基層１０２の第１面において、ブックカバー１のデザインで金属光沢を持たさない領域（この領域を以下では第１領域という）Ｒ１を覆う。白色インキ１０４としては、例えば、酸化チタン、亜鉛華、リトポン、鉛箔などの白色顔料を使用したインキを用いることができる。
【００１７】
透明インキ１０６は、白色以外の色を有し、光を透過するインキである。透明インキ１０６は、基層１０２の第１面において、ブックカバー１のデザインで着色を要する領域（この領域を以下では第２領域という）Ｒ２を覆う。透明インキ１０６としては、例えば、染料系のインキをもちいることができる。透明インキ１０６は、白色インキ１０４と重ねて設けられてもよいが、その場合、透明インキ１０６と基層１０２の間に白色インキ１０４が位置するように重ねられる。
【００１８】
保護層１０８は、基層１０２の第１面の最外部に設けられ、白色インキ１０４や透明インキ１０６を保護する透明な層である。保護層１０８としては、ニスなどの透明塗料やラミネートフィルムなどの透明フィルムシートを用いることができる。保護層１０８は、その表面を粗くしたつや消し仕上げとすることが好ましい。表面をつや消し仕上げとすることにより、表面の光沢を抑制して高級感のある外観としたり、手触りをよくしたりすることができる。
【００１９】
光沢層１１０は、金属光沢を有する層であり、基層１０２の第２面の全面を覆うように設けられる。光沢層１１０としては、例えば、金属箔や、金属を蒸着した合成樹脂製フィルムを用いることができる。本実施形態では、光沢層１１０として、アルミニウムを蒸着したＰＰフィルム（厚さ２０μｍ）を用いる。
【００２０】
〔ブックカバーの製造方法〕
図４は、ブックカバー１に用いるシート部材の製造工程を示している。
【００２１】
まず、基層１０２として、厚さ２００μｍのＰＰフィルムシートを用意する（図４（ａ））。続いて、基層１０２の第１面のうち、ブックカバー１のデザインにおいて金属光沢を持たさない第１領域Ｒ１に、白色インキ１０４を塗布する（図４（ｂ））。塗布した白色インキ１０４を乾燥させた後、基層１０２の第１面のうち、ブックカバー１のデザインにおいて着色を要する第２領域Ｒ２に、デザインに応じた色の透明インキ１０６を塗布する（図４（ｃ））。
【００２２】
続いて、基層１０２の第１面の全面に保護層１０８としてニスを塗布する（図４（ｄ））。保護層１０８を設けることにより、白色インキ１０４や透明インキ１０６が剥がれないように表面を保護することができる。保護層１０８を設ける際、その表面はつや消し仕上げとすることが好ましい。
【００２３】
続いて、基層１０２の第２面に、光沢層１１０として厚さ２０μｍのアルミ蒸着ＰＰフィルムを貼り合わせる（図４（ｅ））。アルミ蒸着ＰＰフィルムは、熱圧着により基層１０２の第２面に貼り付けるとよい。このようにすれば、接着剤等を用いる必要がないので、第１面側から光沢層１１０までの光の減衰を抑制することができ、金属の光沢感を持たせることができる。また、接着剤の劣化や変質による色調の変化が生じない点で優れている。
【００２４】
以上のようにして製造したシート部材１０を、ブックカバー１の外形に打ち抜くとともに折り目を設ける。外形の打ち抜き及び折り目の形成は、例えばトムソン型打ち抜き機を用いて同時に行うとよい。具体的には、シート部材１０を打ち抜くためのカッター刃をブックカバー１の外形形状に合わせて設けるともに、シート部材１０を貫通できないように刃先がつぶれた折り目加工用の刃を各折り目の位置に合わせて設ける。また、これらの刃に対向する位置に溝が設けられた木枠を設ける。そして、当該木枠の上にシート部材１０を配置して、刃を当てることによりシート部材１０を打ち抜き、外形の打ち抜きと折り目の形成を同時に行うとよい。
【００２５】
以上のようにして、本実施形態のブックカバー１を製造することができる。
【００２６】
〔各領域の色の見え方〕
上記のように構成されるブックカバー１は、白色インキ１０４および透明インキ１０６がそれぞれあるか否かの組み合わせに応じて、表１に示したように多様な見え方をする。
【００２７】
【表１】
0003213248.tif 000003
【００２８】
第１領域Ｒ１及び第２領域Ｒ２のいずれにも含まれない領域は、基層１０２と保護層１０８とが直接接している領域である。この領域には白色インキ１０４や透明インキ１０６は存在しないため、保護層１０８の側からは基層１０２の背面にある光沢層１１０が直接透けて見えることになり、この領域は銀色に見える。
【００２９】
第１領域Ｒ１に含まれており第２領域Ｒ２には含まれない領域は、基層１０２と保護層１０８との間に白色インキ１０４のみがある領域である。白色インキ１０４は、不透明であるため、保護層１０８の側からは基層１０２の背面にある光沢層１１０が透けて見えることはなく、この領域は白色に見える。
【００３０】
第２領域Ｒ２に含まれており第１領域Ｒ１には含まれない領域は、基層１０２と保護層１０８との間に透明インキ１０６のみがある領域である。透明インキ１０６は有色かつ透明であるため、保護層１０８の側からは基層１０２の背面にある光沢層１１０が透明インキ１０６を介して透けて見えることになる。透明インキ１０６の色と光沢層１１０の金属光沢とが合わせて視認されることから、この領域は透明インキ１０６の色で金属光沢を有する、いわゆるメタリックカラーに見える。
【００３１】
第１領域Ｒ１及び第２領域Ｒ２のいずれにも含まれる領域は、基層１０２と保護層１０８との間に白色インキ１０４及び透明インキ１０６がある領域である。この領域では、白色インキ１０４が基層１０２と透明インキ１０６との間に位置するので、保護層１０８の側からは基層１０２の背面にある光沢層１１０が透けて見えることはなく、透明インキ１０６を介して白色インキ１０４が見えることになる。したがって、この領域は透明インキ１０６の色で金属光沢を有しない、非光沢のカラーに見える。
【００３２】
以上で説明したように、本実施形態のブックカバーは、白色インキ１０４および透明インキ１０６がそれぞれ塗布されているか否かの組み合わせと、光沢層１１０の存在により、自由度の高いデザインを可能とする。また、保護層１０８によって耐久性を高めることができる。
【００３３】
なお、上記に本実施形態を説明したが、本発明はこの例に限定されるものではない。例えば、上記の実施形態では、背表紙を有する本Ｂに取り付けるブックカバー１を例に説明したが、背表紙を有しない本に取り付けるブックカバーとしてもよい。背表紙を有しない本Ｂに取り付けるブックカバーでは、背表紙カバー部１２４を設けず、表表紙カバー部１２０と裏表紙カバー部１２２との境界に折り目を設けるようにするとよい。
【００３４】
また、前述の各実施形態に対して、当業者が適宜、構成要素の追加、削除、設計変更を行ったものや、各実施形態の特徴を適宜組み合わせたものも、本考案の要旨を備えている限り、本考案の範囲に含有される。
【符号の説明】
【００３５】
Ｂ…本または冊子体
１…本考案のブックカバー
１０…シート部材
１２…カバー部
１４…袖部
１０２…基層
１０４…白色インキ
１０６…透明インキ
１０８…保護層
１１０…光沢層
【図１】
0003213248.tif 000004
【図２】
0003213248.tif 000005
【図３】
0003213248.tif 000006
【図４】
0003213248.tif 000007